(57)【要約】【課題】本発明は、効率の低下を極力招かない形で、負荷に所望の駆動電流を供給することが可能な駆動電流生成装置を提供することを目的とする。【解決手段】本発明に係る駆動電流生成部２２は、ＬＥＤ３１に所望の駆動電流ｉを供給する駆動電流生成装置であって、ＬＥＤ３１の一端と接地端との間に直列接続された駆動トランジスタＮ０と；リファレンス抵抗Ｒ１に流れる電流ｉ１に応じた参照電圧Ｖ１が所定の基準電圧Ｖｒｅｆと一致するように、駆動トランジスタＮ０の開閉制御を行うとともに、駆動電流ｉと同様の挙動を示す中間電流ｉ２を生成する第１電流制御部ＣＣ１と；所定の比率をもって中間電流ｉ２に応じたミラー電流ｉ１を生成し、これをリファレンス抵抗Ｒ１に帰還入力させるカレントミラー部ＣＭ１と；駆動電流ｉと中間電流ｉ２との比率を所定値に維持する第２電流制御部ＣＣ２と；を有して成る構成とされている。【選択図】図２
2007299711.tif 000002
【特許請求の範囲】
【請求項１】
負荷に所望の駆動電流を供給する駆動電流生成装置であって、前記負荷の一端と接地端との間に直列接続された駆動トランジスタと；リファレンス抵抗に流れる電流に応じた参照電圧が所定の基準電圧と一致するように、前記駆動トランジスタの開閉制御を行うとともに、前記駆動電流と同様の挙動を示す中間電流を生成する第１電流制御部と；所定の比率をもって前記中間電流に応じたミラー電流を生成し、これを前記リファレンス抵抗に帰還入力させるカレントミラー部と；前記駆動電流と前記中間電流との比率を所定値に維持する第２電流制御部と；を有して成ることを特徴とする駆動電流生成装置。
【請求項２】
第１電流制御部は、一端が前記カレントミラー部のミラー電流引出端に接続され、他端が接地端に接続されたリファレンス抵抗と；一入力端が前記リファレンス抵抗の一端に接続され、他入力端が前記基準電圧の印加端に接続され、出力端が前記駆動トランジスタの制御端に接続された第１アンプと；前記カレントミラー部の中間電流引込端と接地端との間に直列接続され、制御端が第１アンプの出力端に接続された第１トランジスタと；を有して成り、第２電流制御部は、前記カレントミラー部の中間電流引込端と第１トランジスタの一端との間に直列接続された第２トランジスタと；一入力端が第１トランジスタの一端に接続され、他入力端が前記駆動トランジスタの一端に接続され、出力端が第２トランジスタの制御端に接続された第２アンプと；を有して成ることを特徴とする請求項１に記載の駆動電流生成装置。
【請求項３】
前記ミラー電流と前記中間電流との比率は１：ｍ（＞１）であり、前記中間電流と前記駆動電流との比率は１：ｎ（＞１）であることを特徴とする請求項１または請求項２に記載の駆動電流生成装置。
【請求項４】
前記リファレンス抵抗の抵抗値、または、前記基準電圧の電圧値を可変制御する手段を有して成ることを特徴とする請求項１〜請求項３のいずれかに記載の駆動電流生成装置。
【請求項５】
発光ダイオードの駆動制御を行うＬＥＤ駆動装置であって、負荷である前記発光ダイオードに所望の駆動電流を供給する手段として、請求項１〜請求項４のいずれかに記載の駆動電流生成装置を有して成ることを特徴とするＬＥＤ駆動装置。
【請求項６】
複数並列接続された発光ダイオードの駆動制御を行うＬＥＤ駆動装置であって、負荷である前記発光ダイオードに所望の駆動電流を供給する手段として、各発光ダイオード毎に請求項１〜請求項４のいずれかに記載の駆動電流生成装置を有して成り、かつ、前記複数の駆動電流生成装置は、前記基準電圧の印加端を互いに共通としていることを特徴とするＬＥＤ駆動装置。
【請求項７】
発光ダイオードと、前記発光ダイオードの駆動制御を行うＬＥＤ駆動装置と、前記ＬＥＤ駆動装置に電力を供給する機器電源と、を備えた照明装置であって、前記ＬＥＤ駆動装置として、請求項５または請求項６に記載のＬＥＤ駆動装置を有して成ることを特徴とする照明装置。
【請求項８】
前記機器電源は、バッテリであることを特徴とする請求項７に記載の照明装置。
【請求項９】
表示パネルと、前記表示パネルを照明する照明装置と、を備えた表示装置であって、前記照明装置として、請求項７または請求項８に記載の照明装置を有して成ることを特徴とする表示装置。
【発明の詳細な説明】
【技術分野】
【０００１】
本発明は、負荷に所望の駆動電流を供給する駆動電流生成装置、並びに、これを搭載したＬＥＤ［Light Emitting Diode］駆動装置、照明装置、及び、表示装置に関するものであり、例えば、液晶ディスプレイ用のＬＥＤバックライトシステムに関する。
【背景技術】
【０００２】
図６は、ＬＥＤ駆動装置の一従来例を示すブロック図である。
【０００３】
図６（ａ）に示すように、従来のＬＥＤ駆動装置は、発光ダイオードＬＥＤの駆動電流ｉを生成する手段として、駆動トランジスタＮ０と、センス抵抗Ｒｓ１と、アンプＡＭＰと、を有して成り、センス抵抗Ｒｓ１（抵抗値ｒ）の一端から引き出される帰還電圧Ｖａ（＝ｉ×ｒ）が所定の基準電圧Ｖｒｅｆと一致するように、駆動トランジスタＮ０の開閉制御を行う構成とされていた（例えば、特許文献１を参照）。
【０００４】
また、複数の駆動電流ｉ１〜ｉｎを切り替えて用いる場合には、図６（ｂ）に示すように、並列に設けられたｎ個（ｎ≧２）のセンス抵抗Ｒｓ１〜Ｒｓｎ（抵抗値ｒ１〜ｒｎ）をスイッチＳＷ１〜ＳＷｎで適宜切り替える構成とされていた。
【特許文献１】特開２００２−３５９０９０号公報
【発明の開示】
【発明が解決しようとする課題】
【０００５】
確かに、図６に示した従来構成のＬＥＤ駆動装置であれば、負荷である発光ダイオードＬＥＤに対して、所望の駆動電流ｉを供給することが可能である。
【０００６】
しかしながら、図６（ａ）に示したＬＥＤ駆動装置では、発光ダイオードＬＥＤのカソードと接地端との間に、駆動トランジスタＮ０だけでなく、センス抵抗Ｒｓ１が直列接続されていたため、発光ダイオードＬＥＤを光らせるために必要なバッテリ電圧Ｖｂａｔは下記の（１）式で表される形となっていた。
【０００７】
【数１】
2007299711.tif 000003
【０００８】
また、図６（ｂ）に示したＬＥＤ駆動装置では、発光ダイオードＬＥＤのカソードと接地端との間に、駆動トランジスタＮ０だけでなく、センス抵抗Ｒｓ１〜Ｒｓｎのいずれか一とスイッチＳＷ１〜ＳＷｎのいずれか一が直列接続されていたため、発光ダイオードＬＥＤを光らせるために必要なバッテリ電圧Ｖｂａｔは、下記の（２）式で表される形となっていた。
【０００９】
【数２】
2007299711.tif 000004
【００１０】
なお、上記（１）式、（２）式において、Ｖｆは発光ダイオードＬＥＤの順方向降下電圧、Ｖｓａｔは駆動トランジスタＮ０の飽和電圧、ＶｌｏｓｓはスイッチＳＷ１〜ＳＷｎを構成するトランジスタの飽和電圧をそれぞれ示している。
【００１１】
このように、図６（ａ）、（ｂ）で示した従来構成のＬＥＤ駆動装置では、発光ダイオードＬＥＤを光らせるために、バッテリ電圧Ｖｂａｔを帰還電圧Ｖａの分（例えば０．１［Ｖ］）だけ余計に高めておく必要があり、効率の低下を招く形となっていた。
【００１２】
本発明は、上記の問題点に鑑み、効率の低下を極力招かない形で、負荷に所望の駆動電流を供給することが可能な駆動電流生成装置、並びに、これを用いたＬＥＤ駆動装置、照明装置、及び、表示装置を提供することを目的とする。
【課題を解決するための手段】
【００１３】
上記目的を達成するために、本発明に係る駆動電流生成装置は、負荷に所望の駆動電流を供給する駆動電流生成装置であって、前記負荷の一端と接地端との間に直列接続された駆動トランジスタと；リファレンス抵抗に流れる電流に応じた参照電圧が所定の基準電圧と一致するように、前記駆動トランジスタの開閉制御を行うとともに、前記駆動電流と同様の挙動を示す中間電流を生成する第１電流制御部と；所定の比率をもって前記中間電流に応じたミラー電流を生成し、これを前記リファレンス抵抗に帰還入力させるカレントミラー部と；前記駆動電流と前記中間電流との比率を所定値に維持する第２電流制御部と；を有して成る構成（第１の構成）とされている。
【００１４】
なお、上記第１の構成から成る駆動電流生成装置において、第１電流制御部は、一端が前記カレントミラー部のミラー電流引出端に接続され、他端が接地端に接続されたリファレンス抵抗と；一入力端が前記リファレンス抵抗の一端に接続され、他入力端が前記基準電圧の印加端に接続され、出力端が前記駆動トランジスタの制御端に接続された第１アンプと；前記カレントミラー部の中間電流引込端と接地端との間に直列接続され、制御端が第１アンプの出力端に接続された第１トランジスタと；を有して成り、また、第２電流制御部は、前記カレントミラー部の中間電流引込端と第１トランジスタの一端との間に直列接続された第２トランジスタと；一入力端が第１トランジスタの一端に接続され、他入力端が前記駆動トランジスタの一端に接続され、出力端が第２トランジスタの制御端に接続された第２アンプと；を有して成る構成（第２の構成）にするとよい。
【００１５】
また、上記第１または第２の構成から成る駆動電流生成装置において、前記ミラー電流と前記中間電流との比率は１：ｍ（＞１）であり、前記中間電流と前記駆動電流との比率は１：ｎ（＞１）である構成（第３の構成）にするとよい。
【００１６】
また、上記第〜第３いずれかの構成から成る駆動電流生成装置は、前記リファレンス抵抗の抵抗値、または、前記基準電圧の電圧値を可変制御する手段を有して成る構成（第４の構成）にするとよい。
【００１７】
また、本発明に係るＬＥＤ駆動装置は、発光ダイオードの駆動制御を行うＬＥＤ駆動装置であって、負荷である前記発光ダイオードに所望の駆動電流を供給する手段として、上記第１〜第４いずれかの構成から成る駆動電流生成装置を有して成る構成（第５の構成）とされている。
【００１８】
或いは、本発明に係るＬＥＤ駆動装置は、複数並列接続された発光ダイオードの駆動制御を行うＬＥＤ駆動装置であって、負荷である前記発光ダイオードに所望の駆動電流を供給する手段として、各発光ダイオード毎に上記第１〜第４いずれかの構成から成る駆動電流生成装置を有して成り、かつ、前記複数の駆動電流生成装置は、前記基準電圧の印加端を互いに共通としている構成（第６の構成）とされている。
【００１９】
また、本発明に係る照明装置は、発光ダイオードと、前記発光ダイオードの駆動制御を行うＬＥＤ駆動装置と、前記ＬＥＤ駆動装置に電力を供給する機器電源と、を備えた照明装置であって、前記ＬＥＤ駆動装置として、上記第５または第６の構成から成るＬＥＤ駆動装置を有して成る構成（第７の構成）とされている。
【００２０】
なお、上記第７の構成から成る照明装置において、前記機器電源は、バッテリである構成（第８の構成）にするとよい。
【００２１】
また、本発明に係る表示装置は、表示パネルと、該表示パネルを照明する照明装置と、を備えた表示装置であって、前記照明装置として、上記第７または第８の構成から成る照明装置を有して成る構成（第９の構成）とされている。
【発明の効果】
【００２２】
本発明によれば、効率の低下を極力招かない形で、負荷に所望の駆動電流を供給することが可能な駆動電流生成装置、並びに、これを用いたＬＥＤ駆動装置、照明装置、及び表示装置を提供することが可能となる。
【発明を実施するための最良の形態】
【００２３】
図１は、本発明に係る表示装置の一実施形態を示すブロック図である。本図のように、本実施形態の表示装置は、機器電源１と、ＬＥＤドライバＩＣ２と、発光部３と、導光路４と、液晶ディスプレイパネル３（以下、ＬＣＤ［Liquid Crystal Display］パネル３と呼ぶ）と、を有して成る透過型の液晶ディスプレイである。
【００２４】
機器電源１は、ＬＥＤドライバＩＣ２を始めとする表示装置各部に対して、電力の供給を行う手段である。なお、機器電源１としては、商用交流電圧を直流電圧に変換する交流／直流コンバータを用いてもよいし、二次電池などのバッテリを用いてもよい。
【００２５】
ＬＥＤドライバＩＣ２は、機器電源１から入力電圧Ｖｉｎの供給を受け、発光部３を構成するＬＥＤ３１の駆動制御を行う手段であり、入力電圧ＶｉｎからＬＥＤ３１のアノードに与えるべき所望の出力電圧Ｖｏｕｔを生成するＤＣ／ＤＣコンバータ２１と、ＬＥＤ３１に所望の駆動電流ｉを供給する駆動電流生成部２２と、を有して成る。なお、駆動電流生成部２２の構成及び動作については、後ほど詳細に説明する。
【００２６】
発光部３は、発光ダイオード３１（以下、ＬＥＤ３１と呼ぶ）を有して成り、発光部３で生成された照明光は、導光路４を介してＬＣＤパネル５を背面照射するバックライトとして用いられる。このように、ＬＥＤをバックライトとして用いる構成であれば、蛍光管等を用いる構成に比べて、省電力、長寿命、低発熱、省スペースといった効果を得ることが可能となる。
【００２７】
なお、発光部３を構成するＬＥＤ３１は、赤、緑、青の発光色を有する３つのＬＥＤ素子を一群として成るものであり、各ＬＥＤ素子の出射光を混合することで、所望の発光色（本実施形態では白色）を有する照明光を生成するものである。このような白色ＬＥＤをバックライトとして用いる構成であれば、蛍光管等を用いる構成に比べて、ＬＣＤパネル５の色再現範囲を広げることが可能となる。
【００２８】
導光路４は、発光部３の照射光を均一に面発光させて、ＬＣＤパネル５全体に導く手段であり、反射板や導光板（表面に特殊な加工が施された透明板）から成る。
【００２９】
ＬＣＤパネル５は、２枚のガラス板の間に液晶を封入し、電圧をかけることによって、前記液晶の分子方向を変え、発光部３から導光路４を介して背面照射される光の透過率を増減させることで像を表示する手段である。なお、ＬＣＤパネル５の描画制御は、不図示のＬＣＤコントローラによって行われる。
【００３０】
次に、駆動電流生成部２２の構成及び動作について、図２を参照しながら詳述する。
【００３１】
図２は、駆動電流生成部２２の一実施形態を示す回路図である。
【００３２】
図２に示す通り、本実施形態の駆動電流生成部２２は、これを素子レベルで見ると、Ｎチャネル型電界効果トランジスタＮ０〜Ｎ２と、Ｐチャネル型電界効果トランジスタＰ１〜Ｐ２と、アンプＡ１〜Ａ２と、リファレンス抵抗Ｒ１（抵抗値ｒ）と、を有して成る。
【００３３】
トランジスタＮ０のドレインは、ＬＥＤ３１のカソードに接続されている。トランジスタＮ０のソースは、接地端に接続されている。トランジスタＮ０のゲートは、トランジスタＮ１のゲートに接続されている。トランジスタＮ１のドレインは、トランジスタＮ２のソースに接続されている。トランジスタＮ１のソースは、接地端に接続されている。トランジスタＮ２のドレインは、トランジスタＰ２のドレインに接続されている。トランジスタＰ１〜Ｐ２のソースは、いずれも電源ラインに接続されている。トランジスタＰ１〜Ｐ２のゲートは、いずれもトランジスタＰ２のドレインに接続されている。トランジスタＰ１のドレインは、リファレンス抵抗Ｒ１を介して、接地端に接続されている。
【００３４】
アンプＡ１の非反転入力端（＋）は、基準電圧Ｖｒｅｆの印加端に接続されている。アンプＡ１の反転入力端（−）は、リファレンス抵抗Ｒ１の一端に接続されている。アンプＡ１の出力端は、トランジスタＮ０〜Ｎ１のゲートに接続されている。
【００３５】
アンプＡ２の非反転入力端（＋）は、トランジスタＮ０のドレインに接続されている。アンプＡ２の反転入力端（−）は、トランジスタＮ１のドレインに接続されている。アンプＡ２の出力端は、トランジスタＮ２のゲートに接続されている。
【００３６】
なお、上記構成から成る駆動電流生成部２２において、トランジスタＮ０は、ＬＥＤ３１のカソードと接地端との間に直列接続され、ＬＥＤ３１に所望の駆動電流ｉを供給する駆動トランジスタとして機能する。
【００３７】
また、上記構成から成る駆動電流生成部２２は、これを機能ブロックレベルで見ると、第１電流制御部ＣＣ１と、カレントミラー部ＣＭ１と、第２電流制御部ＣＣ２と、を備えた形となっている。
【００３８】
第１電流制御部ＣＣ１は、リファレンス抵抗Ｒ１と、アンプＡ１と、トランジスタＮ１と、を有して成り、リファレンス抵抗Ｒ１に流れるミラー電流ｉ１に応じた参照電圧Ｖ１が所定の基準電圧Ｖｒｅｆと一致するように、駆動トランジスタＮ０の開閉制御を行うとともに、駆動電流ｉと同様の挙動を示す中間電流ｉ２を生成する手段として機能する。
【００３９】
カレントミラー部ＣＭ１は、トランジスタＰ１〜Ｐ２を有して成り、所定の比率をもって中間電流ｉ２に応じたミラー電流ｉ１を生成し、これをリファレンス抵抗Ｒ１に帰還入力させる手段として機能する。なお、トランジスタＰ１のドレインは、ミラー電流ｉ１の引出端に相当し、トランジスタＰ２のドレインは、中間電流ｉ２の引込端に相当する。
【００４０】
第２電流制御部ＣＣ２は、アンプＡ２と、トランジスタＮ２と、を有して成り、駆動電流ｉと中間電流ｉ２との比率を所定値に維持する手段として機能する。第２電流制御部ＣＣ２の動作について、より具体的に述べると、第２電流制御部ＣＣ２では、トランジスタＮ１のドレイン電圧Ｖ２が駆動トランジスタＮ０のドレイン電圧Ｖ３（ＬＥＤ３１のカソード端子電圧）と一致するように、トランジスタＮ２の開閉制御が行われる。このような動作により、接地端に対するトランジスタＮ０〜Ｎ１のドレイン電圧が互いに等しくなるので、駆動電流ｉと中間電流ｉ２との間で、完全にミラーを取ることが可能となる。
【００４１】
上記構成から成る駆動電流生成部２２において、カレントミラー部ＣＭ１では、ミラー電流ｉ１と中間電流ｉ２との比率が１：ｍ（＞１）となるように、トランジスタＰ１〜Ｐ２の素子サイズが設計されている。
【００４２】
また、先述したように、第１電流制御部ＣＣ１では、参照電圧Ｖ１が基準電圧Ｖｒｅｆと一致するように、ミラー電流ｉ１の帰還制御が行われる。
【００４３】
従って、ミラー電流ｉ１及び中間電流ｉ２は、下記の（３）式、（４）式で表される形となる。
【００４４】
【数３】
2007299711.tif 000005
【００４５】
一方、上記構成から成る駆動電流生成部２２において、第２電流制御部ＣＣ２では、中間電流ｉ２と駆動電流ｉとの比率が１：ｎ（＞１）となるように、トランジスタＮ０〜Ｎ１の素子サイズが設計されている。
【００４６】
従って、ＬＥＤ３１に供給される駆動電流ｉは、下記の（５）式で表される形となる。
【００４７】
【数４】
2007299711.tif 000006
【００４８】
このように、上記構成から成る駆動電流生成部２２であれば、図６に示した従来構成と異なり、ＬＥＤ３１のカソードと接地端との間にセンス抵抗を挿入することなく、基準電圧Ｖｒｅｆに応じた所望の駆動電流ｉをＬＥＤ３１に供給することができる。
【００４９】
このとき、ＬＥＤ３１を光らせるために必要な出力電圧Ｖｏｕｔは、下記の（６）式で表される形となる。
【００５０】
【数５】
2007299711.tif 000007
【００５１】
なお、上記（６）式において、ＶｆはＬＥＤ３１の順方向降下電圧、Ｖｓａｔは駆動トランジスタＮ０の飽和電圧をそれぞれ示している。
【００５２】
上記（６）式と先出の（１）〜（２）式とを比較すれば分かるように、本実施形態のＬＥＤドライバＩＣ２であれば、図６に示した従来構成に比べて、ＬＥＤ３１のカソード端子電圧を駆動トランジスタＮ０の飽和電圧Ｖｓａｔのみ（例えば５０〜１００［ｍＶ］）まで下げることができるので、出力電圧Ｖｏｕｔを引き下げて、システム全体の効率を向上することが可能となり、延いては、ＬＥＤドライバＩＣ２を備えた照明装置及び表示装置の消費電力低減に貢献することが可能となる。
【００５３】
また、本実施形態の駆動電流生成部２２では、先述したように、ミラー電流ｉ１と中間電流ｉ２との比率が１：ｍ（＞１）に設定されており、かつ、中間電流ｉ２と駆動電流ｉとの比率が１：ｎ（＞１）に設定されている。このような構成とすることにより、ＬＥＤ３１に供給される駆動電流ｉに比べて、駆動電流生成部２２で消費されるミラー電流ｉ１及び中間電流ｉ２を小さく抑えることができるので、駆動電流生成部２２を設けたことによる消費電力の増大を極力回避することが可能となる。
【００５４】
特に、ＰＤＡ［Personal Digital/Data Assistant］や携帯電話端末などの電子機器に搭載され、機器電源１としてバッテリを用いる照明装置に本発明を適用すれば、電子機器のバッテリ駆動時間を延ばすことが可能となる。
【００５５】
なお、上記の実施形態では、本発明を透過型液晶表示装置に適用した場合を例示して説明を行ったが、本発明の適用対象はこれに限定されるものではなく、その他の駆動電流生成装置、照明装置、或いは、表示装置にも広く適用することが可能である。
【００５６】
また、本発明の構成は、上記実施形態のほか、発明の主旨を逸脱しない範囲で種々の変更を加えることが可能である。
【００５７】
例えば、上記の実施形態では、赤色光、緑色光、青色光を混合して白色光を生成するＬＥＤを例に挙げて説明を行ったが、本発明の適用対象はこれに限定されるものではなく、その他の発色光を混合して所望の発色光を出射するＬＥＤや、単色光を出射するＬＥＤを用いた構成についても、当然に本発明を適用することが可能である。
【００５８】
また、上記の実施形態では、ＬＥＤ３１の駆動電流ｉを固定的に設定する構成を例に挙げて説明を行ったが、本発明の構成はこれに限定されるものではなく、例えば、図３に示すように、並列に設けられたｎ個（ｎ≧２）のリファレンス抵抗Ｒ１〜ＲｎをスイッチＳＷ１〜ＳＷｎで適宜切り替える構成や、図４に示すように、並列に印加されるｎ個（ｎ≧２）の基準電圧Ｖｒｅｆ１〜ＶｒｅｆｎをスイッチＳＷ１〜ＳＷｎで適宜切り替える構成を採用することにより、ＬＥＤ３１の駆動電流ｉを可変的に設定する構成としても構わない。なお、当該変形例を採用した場合でも、ＬＥＤ３１を光らせるために必要な出力電圧Ｖｏｕｔは、先出の（６）式で表される形となるので、効率の低下を極力招かない形で、ＬＥＤ３１に所望の駆動電流ｉを供給することが可能である。
【００５９】
また、上記の実施形態では、単一のＬＥＤ３１に所望の駆動電流ｉを供給する構成を例に挙げて説明を行ったが、本発明の構成はこれに限定されるものではなく、例えば、図５に示すように、複数並列接続されたＬＥＤ３１〜３２に所望の駆動電流を供給する手段として、各ＬＥＤ３１ａ〜３１ｂ毎に、先と同様の構成から成る駆動電流生成部２２ａ〜２２ｂを有して成り、かつ、複数の駆動電流生成部２２ａ〜２２ｂは、基準電圧Ｖｒｅｆの印加端を互いに共通とした構成としてもよい。このような構成とすることにより、多灯ＬＥＤの駆動電流量を容易にマッチングさせることが可能となる。なお、当該変形例を採用した場合、ＬＥＤ３１ａ〜３１ｂを光らせるために必要な出力電圧Ｖｏｕｔは、（Ｖｆ１＋Ｖｓａｔ１）と（Ｖｆ２＋Ｖｓａｔ２）のいずれか大きい方となる。
【産業上の利用可能性】
【００６０】
本発明は、駆動電流生成装置を用いたシステム全体の効率を高める上で有用な技術である。なお、本発明に係るＬＥＤ駆動装置及び照明装置は、例えば、液晶ディスプレイのバックライトシステムを構築する際に利用可能であり、また、これを備えた表示装置としては、液晶テレビジョン受像装置や、ＰＤＡの液晶ディスプレイ、或いは、携帯電話機の液晶ディスプレイなどを挙げることができる。
【図面の簡単な説明】
【００６１】
【図１】は、本発明に係る表示装置の一実施形態を示すブロック図である。
【図２】は、駆動電流生成部２２の一実施形態を示す回路図である。
【図３】は、駆動電流生成部２２の変形例を示す回路図である。
【図４】は、駆動電流生成部２２の別の変形例を示す回路図である。
【図５】は、発光部３が多灯並列である場合を説明するための回路図である。
【図６】は、ＬＥＤドライバの一従来例を示すブロック図である。
【符号の説明】
【００６２】
１    機器電源（バッテリ）
２    ＬＥＤドライバＩＣ
３    発光部
４    導光路
５    液晶ディスプレイパネル（ＬＣＤパネル）
２１    ＤＣ／ＤＣコンバータ
２２、２２ａ、２２ｂ    駆動電流生成部
３１、３１ａ、３１ｂ    発光ダイオード（ＬＥＤ）
ＣＣ１    第１電流制御部
ＣＣ２    第２電流制御部
ＣＭ１    カレントミラー部
Ｎ０、Ｎ０ａ、Ｎ０ｂ    Ｎチャネル型電界効果トランジスタ
Ｎ１、Ｎ１ａ、Ｎ１ｂ    Ｎチャネル型電界効果トランジスタ
Ｎ２、Ｎ２ａ、Ｎ２ｂ    Ｎチャネル型電界効果トランジスタ
Ｐ１、Ｐ１ａ、Ｐ１ｂ    Ｐチャネル型電界効果トランジスタ
Ｐ２、Ｐ２ａ、Ｐ２ｂ    Ｐチャネル型電界効果トランジスタ
Ａ１、Ａ１ａ、Ａ１ｂ    アンプ
Ａ２、Ａ２ａ、Ａ２ｂ    アンプ
Ｒ１〜Ｒｎ、Ｒ１ａ、Ｒ１ｂ    リファレンス抵抗
ＳＷ１〜ＳＷｎ    スイッチ（Ｎチャネル型電界効果トランジスタ）
【図１】
2007299711.tif 000008
【図２】
2007299711.tif 000009
【図３】
2007299711.tif 000010
【図４】
2007299711.tif 000011
【図５】
2007299711.tif 000012
【図６】
2007299711.tif 000013